(57)【特許請求の範囲】
【請求項１】
−金属製のキャリアプレート（２）、
−内部に、少なくとも１つのセンサー・エレメントが設けられている合成樹脂製のセンサー・ハウジング（３）、
からなるセンサー・モジュール（１）であって、
−該センサー・ハウジング（３）は、該キャリアプレート（２）に、該キャリアプレート（２）の貫通開口部（６）に通されている少なくとも１つのネジ（５）によって接続されていて、
−該センサー・ハウジング（３）内のネジ・チャンネル（７）が、ハウジングマテリアルによってプリセットされていることを特徴とするセンサー・モジュール。
【請求項２】
該ネジ（５）、及び／或いは、該センサー・ハウジング（３）が、ネジ軸（８）に沿って作用するネジ力の作用の下で柔軟に変形するように、該ネジ（５）、及び／或いは、該センサー・ハウジング（３）は構成されていることを特徴とする請求項１に記載のセンサー・モジュール。
【請求項３】
該センサー・ハウジング（３）が、該ネジ・チャンネル（７）に対して間隔をあけて該キャリアプレート（２）に支えられているように、中空空間（９）が、該貫通開口部（６）と該ネジ・チャンネル（７）の間に配置されていることを特徴とする請求項２に記載のセンサー・モジュール。
【請求項４】
該中空空間（９）を区画する該センサー・ハウジング（３）の変形区間（１２，１３）が、該ネジ力の作用の下で柔軟に変形するように、当該変形区間（１２，１３）は設計されていることを特徴とする請求項３に記載のセンサー・モジュール。
【請求項５】
該変形区間が、ばね、或いは、リブとして構成されていることを特徴とする請求項４に記載のセンサー・モジュール。
【請求項６】
該キャリアプレート（２）が、該ネジ軸（８）に沿って作用するネジ力の作用の下で柔軟に変形するように、該キャリアプレート（２）は設計されていることを特徴とする請求項２から５の何れか一項に記載のセンサー・モジュール。
【発明の詳細な説明】
【技術分野】
【０００１】
本発明は、キャリアプレートと少なくとも一つのセンサー・エレメントが設けられているセンサー・ハウジングからなるセンサー・モジュールに関する。
【背景技術】
【０００２】
既知のセンサー・モジュールでは、センサー・ハウジングは、キャリアプレートにネジによって接続されている。
【発明の概要】
【発明が解決しようとする課題】
【０００３】
本発明の課題は、冒頭に述べたようなセンサー・モジュールを発展させ、ネジによる接続を確実なものとすることである。
【課題を解決するための手段】
【０００４】
この課題は、本発明の請求項１記載の：
−金属製のキャリアプレート（２）、
−内部に、少なくとも１つのセンサー・エレメントが設けられている合成樹脂製のセンサー・ハウジング（３）、
からなるセンサー・モジュール（１）であって、
−該センサー・ハウジング（３）は、該キャリアプレート（２）に、該キャリアプレート（２）の貫通開口部（６）に通されている少なくとも１つのネジ（５）によって接続されていて、
−該センサー・ハウジング（３）内のネジ・チャンネル（７）が、ハウジングマテリアルによってプリセットされていることによって達成される。
【０００５】
本発明では、既知の従来の技術において、センサー・ハウジングに接続されたネジ・ブッシュの独立したネジ・チャンネル（スリーブ）として実施されていることによって発生している問題を、該センサー・ハウジング内において合成樹脂系ハウジングマテリアルによって直接的に設けられる該ネジ・チャンネルとすることにより、回避できることが見出された。本発明に係る該ハウジングマテリアル内への直接的な該ネジ・チャンネルのプリセットにより、該ハウジングマテリアルの柔軟性、及び／或いは、可塑性をネジによる接続／ネジ止めの確実性を得るために活かすことができる。また、該センサー・ハウジングの製造においては、ハウジングとネジ・ブッシュを接続することに関連する、例えば、該ネジ・ブッシュを、該センサー・ハウジングが、製造される射出成形金型にはめると言った製造工程が、必要なくなる。更に、該ネジによる接続は、温度変化や振動にさらされる環境にあっても、該センサー・ハウジングを確実にキャリアプレートと接続できるようにデザインできる。即ち、該ネジによる接続は、耐温度変化、及び／或いは、耐振動的に、実施されることも可能となる。独立したネジ・ブッシュを使用しないことにより、該ネジ止め部の取付空間を節約することができる。
【０００６】
請求項２に係るネジ、及び／或いは、センサー・ハウジングのデザインは、ネジによる接続／ネジ止めの確実性をより高める。該ネジ、及び／或いは、該センサー・ハウジングは、ネジ止めによる力の作用によって可塑的に変形するようにデザインされていてもよい。
【０００７】
請求項３に係る中空空間デザインによれば、ネジ止めの初期張力を設定し、ネジによる接続／ネジ止めを確実なものとすることができる。
【０００８】
請求項４及び５に係る変形区間は、ネジによる接続／ネジ止めを確実なものとする初期張力手段のデザインとして特に好ましいことが見出された。該変形区間は、ハウジング・ストラクチャーの目的にかなった意図的な虚弱化として実施することもできる。このような虚弱化は、センサー・ハウジング内における切欠き、特に、周縁部の切欠きとして実施可能である。
【０００９】
同様の長所を請求項６に係る柔軟に変形自在なキャリアプレートも有している。
【００１０】
以下、本発明の実施例を、図面に基づいてより詳しく説明する。
【図面の簡単な説明】
【００１１】
【図１】金属製のキャリアプレートと合成樹脂製センサー・ハウジングからなるセンサー・モジュールを示す側面図である。
【図２】センサー・ハウジングとキャリアプレートのネジによる接続部のある位置でのセンサー・モジュール脚部の上下方向断面図である。
【図３】ネジによる接続の他の実施形態を、軽く締めたネジを含む長軸方向断面として示すセンサー・モジュール脚部の更なる実施例の模式図である。
【図４】図３のネジによる接続において、該ネジを締め付けた状態を示す。
【発明を実施するための形態】
【００１２】
図１は、一部が示されているキャリアプレート２と、模式的に示されたセンサー・エレメント３ａが取り付けられている合成樹脂製のセンサー・ハウジング３からなるセンサー・モジュール１を示している。センサー・ハウジング３は、プラスチック・ドームとも呼ばれる。該センサー・モジュール１は、車両のトランスミッション内やエンジンルーム内に設置されることができる。該センサー・モジュール１のセンサー・エレメント３ａは、例えば、制御装置において使用される回転数、距離、その他の測定値を割出すことができる。
【００１３】
図２は、センサー・ハウジング３の脚部４の詳細を示している。センサー・ハウジング３は、キャリアプレート２と少なくとも一本のネジ５によって接続されている。該ネジは、キャリアプレート２の開口部６に差し込まれている。センサー・ハウジング３のネジ・チャンネル７は、合成樹脂製ハウジングマテリアルによってプリセットされている。ネジ５は、セルフ・タッピング用のネジ山を有している。即ち、該ネジ５は、セルフ・タッピング用ネジである。該ネジ５は、ネジ軸８に沿ってかかるネジ力に対して柔軟に変形するようにデザインされている。ねじ込む力による、特に、センサー・ハウジング３のハウジングマテリアルにタップを切り込む力によるネジ５の可塑的変形も可能である。これにより、ネジ５の外ネジとハウジングマテリアルの噛み合う効果が、助長される。
【００１４】
図３と図４は、センサー・ハウジング３の脚部４とキャリアプレート２とのネジによる接続の更なる実施形態を示している。先に図１と２に関連して既に記述されたものに相当するコンポーネントについては、同じ符号が振られ、繰り返し説明しない。開口部６とネジ・チャンネル７の間には、中空空間９が設けられている。これは、ネジ５のネジ・ボディ１０を、センサー・ハウジング３が、ネジ・チャンネル７とキャリアプレート２のリング状区間１１を介して間隔を持つように取り囲んでいる。
【００１５】
該中空空間９が境界となるセンサー・ハウジング３の変形区間は、ネジ軸８に沿って作用するネジ力により柔軟に変形するように設計されている。該変形区間は、図３と４に係るセンサー・ハウジング３の目的にかなった意図的な虚弱化、即ち、リング状区間１１を一部材として形成するリング状リブ１２によって実施される。中空空間９の向かい側においては、リング状リブ１２の広がりは、センサー・ハウジング３の脚部４の外周溝１３によって、制限されている。ばね、及び／或いは、リブ、及び／或いは、切欠きなどによる他の変形区間の実施形態によっても、センサー・ハウジング３が、ネジ力の作用によって柔軟に変形することを可能にできる。該変形区間は、ハウジング・ストラクチャーの目的にかなった意図的な虚弱化として実施することもできる。
【００１６】
図４は、図３のネジによる接続において、ネジ５を締め付けた状態を示している。ここでは、リング状リブ１２、外周溝１３並びにこれと接するセンサー・ハウジング３のハウジングの一部からなる該センサー・ハウジングの該変形区間が、ネジ力の作用によって柔軟に変形している。これにより、キャリアプレート２側の中空空間壁１４が、キャリアプレート２の方向、ネジ・チャンネル７に隣接するリング状区間に移動している。
【００１７】
また、該キャリアプレート２も、図３及び４の実施形態においては、図３及び４に示されているごとく、ネジ力の作用によって、柔軟に変形している。ネジ５を締め付けると、キャリアプレート２は、中空空間壁１４条のネジ・ボディ１０に隣接するリング状区間内に移動する。ネジ５を締め付けた状態でも、中空空間１４とキャリアプレート２は、接触せず、間隔が維持される。
【図１】
0005933596.tif 000002
【図２】
0005933596.tif 000003
【図３】
0005933596.tif 000004
【図４】
0005933596.tif 000005